(57)【特許請求の範囲】
【請求項１】
建物の柱、梁及び床で囲われる面内に単位ブロックを積み込んでブロック積み壁を形成する建物の耐震補強方法において、深さ方向のほぼ中央が仕切り鋼板で仕切られた四角筒構造より成り、前記仕切り鋼板が互いに離間する２枚から成り、各仕切り鋼板の間にコンクリートが充填されている単位ブロック同士を雄雌締結構造により締結してブロック積み壁を一体化すると共に、ブロック積み壁の外周面とその周囲の柱、梁及び床のそれぞれとの間は接着材料にて接着して一体化することを特徴とする建物の耐震補強方法。
【請求項２】
建物の柱、梁及び床で囲われる面内に単位ブロックを積み込んでブロック積み壁を形成する建物の耐震補強方法において、先ず格子状鋼板の外周面を柱、梁及び床に接着材料にて接着し、この格子状鋼板の各ラーメンの中に単位コンクリートブロックを入れると共に接着材料にて接着固定してブロック積み壁を形成することを特徴とする建物の耐震補強方法。
【請求項３】
ブレース両端の基部を建物の柱、梁及び床で囲われる面内の４隅に接着材料にて接着固定して対角線状に２つのブレースを設けると共に、前記ブレースは、該ブレースの両端に位置する前記基部との接続がナットをナット締結箇所における当該基部の一端側にだけ設けて該ブレースに対して加わる圧縮力には剛で、引っ張り力には柔軟に追従するように剛柔構造に構成されていることを特徴とする建物の耐震補強方法。
【発明の詳細な説明】
【０００１】
【発明の属する技術分野】
本発明は、既存の建物の耐震性を補強するための建物の耐震補強方法に関するものである。
【０００２】
【従来の技術】
建物の耐震補強方法に関する従来技術として、特公昭５７−１２８３２号公報に記載のコンクリートブロック積みによる既存建物の耐震補強方法が挙げられる。  この方法は、くの字形傾斜面を有する特殊形状のコンクリートブロックを既存建物の架構面内にほぼ一杯に積み込み、このコンクリートブロック積み壁は架構を形成する柱と梁にアンカーした補強筋にて補強し、コンクリートブロック積み壁と架構との隙間にモルタルを充填して構造的一体性を図るというものである。
【０００３】
また、他の従来技術として、建設新聞（平成８年１０月３１日）に掲載された格子型ブロック耐震壁による方法が挙げられる。この方法は鋼製プレートを内蔵した単位格子ブロック間を高力ボルトにより接合し、一体化して耐震壁とするものである、この耐震壁は周囲の架構とはスパイラル筋や周辺フレーム配筋を介して定着プレートにより前記架構に打ち込まれた接合用アンカーに固定される。
【０００４】
【発明が解決しようとする課題】
上記従来の耐震補強方法は、いずれもブロック積み壁を柱や梁等へ固定するに当り、アンカーを主体として固定する方法であるため、そのアンカーの取付けに多大な手間がかかると共に、接合用アンカーを柱等に打ち込む場合は、その騒音や振動で、その建物の居住者や使用者が居乍らにして、耐震補強の作業を行うことは到底できないものであった。
【０００５】
本発明の課題は、上記の如くアンカーを主体として固定する方法に基づく問題を解決することにある。
【０００６】
【課題を解決するための手段】
上記課題を達成するため、一つの態様の発明は、建物の柱、梁及び床で囲われる面内に単位ブロックを積み込んでブロック積み壁を形成する建物の耐震補強方法において、前記各ブロック間を接着材料にて接着してブロック積み壁を一体化すると共に、該ブロック積み壁の外周面とその周囲の柱、梁及び床のそれぞれとの間も接着材料にて接着して一体化することを特徴とするものである。本発明によれば、ブロック積み壁の周囲の柱などへの固定を、接着材料で強固に行うので、アンカー取付けのような手間かが掛からず、簡単である。各単位ブロック同士も接着材料により一体化するため、この点でも手間がかからない。更に、アンカー打ち込みの場合の騒音や振動の問題が全くないため、居住者等が居乍らにして作業を行える。
【０００７】
他の態様の発明は、前記発明で、ブロック積み壁はハニカム構造であることを特徴とするものである。このハニカム構造により、軽量で高強度な耐震壁が得られる。
【０００８】
また、他の態様の発明は、前記発明で、単位ブロックは正方形の枠の一つの対角線をつなぎ部でつなげた構造であることを特徴とするものである。この正方形ブロックによれば、１種類で、上下左右方向の補強だけでなく、そのつなぎ部により斜めに交差する方向への補強も直接的に可能になる。
【０００９】
また、他の態様の発明は、建物の柱、梁及び床で囲われる面内に単位ブロックを積み込んでブロック積み壁を形成する建物の耐震補強方法において、深さ方向のほぼ中央が仕切り鋼板で仕切られた四角筒構造より成り、前記仕切り鋼板が互いに離間する２枚から成り、各仕切り鋼板の間にコンクリートが充填されている単位ブロック同士を雄雌締結構造により締結してブロック積み壁を一体化すると共に、ブロック積み壁の外周面とその周囲の柱、梁及び床のそれぞれとの間は接着材料にて接着して一体化することを特徴とするものである。これにより、鋼板を用いて簡単に耐震壁を形成できると共に、アンカー取付けの手間が掛からない。板状の鋼板だけを用いる場合、剪断力に対する抵抗が小さいが、本発明では、仕切り板部分は、その周囲の四角筒体部分により補強されるので、座屈の恐れを低減できる。また、四角筒構造より成る各単位ブロックを収納ボックスとして利用することができるメリットも得られる。
【００１０】
更に、本態様の発明は、単位ブロックは前記仕切り鋼板が互いに離間する２枚から成り、各仕切り鋼板の間にコンクリートが充填されていることを特徴とするものである。このコンクリート充填の単位ブロックを用いることにより前記座屈の恐れを一層低減できる。
【００１１】
また、他の態様の発明は、建物の柱、梁及び床で囲われる面内に単位ブロックを積み込んでブロック積み壁を形成する建物の耐震補強方法において、前記各ブロック間を締結構造により締結してブロック積み壁を一体化すると共に、該ブロック積み壁の外周面とその周囲の柱、梁及び床のそれぞれとの間も接着材料にて接着して一体化することを特徴とするものである。
【００１２】
また、他の態様の発明は、建物の柱、梁及び床で囲われる面内に単位ブロックを積み込んでブロック積み壁を形成する建物の耐震補強方法において、先ず鋼板を柱、梁及び床に接着材料にて接着して鋼板フレームを形成し、この鋼板フレームに該鋼板フレームで囲われた面内の芯材として鋼板を固定し、この芯材鋼板に単位コンクリートブロックを接着材料にて接着固定しつつ積み込んでブロック積み壁を形成することを特徴とするものである。本発明によれば、接着材料により鋼板フレームを柱や梁に強固に固定し、この鋼板フレームに固定された芯材として鋼板に単位コンクリートブロックを接着材料にて接着固定しつつ積み込んでブロック積み壁を形成するので、鉄筋入りコンクリートに近い強度耐震壁が得られる。
【００１３】
また、他の態様の発明は、建物の柱、梁及び床で囲われる面内に単位ブロックを積み込んでブロック積み壁を形成する建物の耐震補強方法において、先ず格子状鋼板の外周面を柱、梁及び床に接着材料にて接着し、この格子状鋼板の各ラーメンの中に単位コンクリートブロックを入れると共に接着材料にて接着固定してブロック積み壁を形成することを特徴とするものである。格子状鋼板と単位コンクリートブロックの組合せと、その固定に接着材料を用いることにより、構造及び組立て簡単にして強固な耐震壁が得られる。
【００１４】
また、他の態様の発明は、長尺なブレース両端の基部を建物の柱、梁及び床で囲われる面内の４隅に接着材料にて接着固定して対角線状に２つのブレースを設けると共に、前記ブレースは、該ブレースの両端に位置する前記基部との接続がナットをナット締結箇所における当該基部の一端側にだけ設けて該ブレースに対して加わる圧縮力には剛で、引っ張り力には柔軟に追従するように剛柔構造に構成されていることを特徴とする建物の耐震補強方法である。これにより、従来のブレース補強工法のような接合用アンカーの打ち込みに伴う騒音、振動の問題がなくなる。
【００１５】
更に、ブレースは圧縮力には剛で、引っ張り力には柔軟に追従する構造であるため、以下の効果が得られる。このように圧縮変形には抵抗するが、逆に引っ張り変形には追従する剛柔構造により、多方向から変形力が加わる地震においても、耐震要素としての機能を確実に発揮することができる。
【００１６】
【発明の実施の形態】
以下図面に示した例に基づいて本発明の実施の形態を説明する。
〔実施の形態１〕
図１は第１の実施の形態を示す正面図、図２はその要部拡大正面図である。建物の柱１、２、梁３及び床４で囲われる面内に単位ブロック５を積み込んでブロック積み壁６を形成する。この例では、単位ブロック５は、比重が１．２程度の軽量コンクリート製で、その形状は正六角形の筒体である。単位ブロック５内に芯材としてスパイラル筋８が入っている。各単位ブロック５同士を接着材料７で接着して一体化し、ハニカム構造のブロック積み壁６を形成する。ハニカム構造により採光が可能である。そして、ブロック積み壁６の外周面とその周囲の柱１、２、梁３及び床４のそれぞれとの間も接着材料７にて接着して一体化する。ここで、接着材料は早強硬化性の強力接着材料を用いる。
【００１７】
尚、ブロック積み壁６の外周面は凸凹形状となり、対向する柱や梁等の面と面接触できない部分が生じるが、この部分には接着材料を充填してもよいし、あるいは、軽量ブロック製のスペーサ９（図２参照）を介在させてもよい。また、ブロック積み壁６の柱、梁などへの固定は、接着材料７により行うが、その接着材料の固定力を補助するためにアンカーを少し設けてもよい。
【００１８】
この例によれば、ブロック積み壁６は接着材料７での周囲の柱などへ強固に固定され、また各単位ブロック同士も接着材料により一体化されるので、アンカー取付けの場合の騒音、振動の問題がなく、更にその取付けの手間が掛からない。
【００１９】
〔実施の形態２〕
図３は本発明の他の実施の形態を示す正面図である。この例では、単位ブロック５は、正方形の枠１０の一つの対角線をつなぎ部１１でつなげた構造である。単位ブロック５の素材は、比重１．２程度の軽量コンクリートである。この単位ブロック５は、図４に示した如く、接着材料で２枚接合される。そして、その周囲に鉄筋１２が配設されて順次積み込まれ、図３に示したように一体化されてブロック積み壁６となる。すなわちブロック積み壁６は、鉄筋１２が格子状に配設され、正方形の各格子内に単位ブロック５が存在し、各単位ブロック５同士及び単位ブロック５と鉄筋１２間とは接着材料により接着されている構造である。そして、ブロック積み壁６と周囲の柱１、２、梁３及び床４と間は、枠フレーム１３を介して接着材料７により強固に固定されている。
【００２０】
この正方形の単位ブロック５によれば、さの枠１０部分により上下左右方向の補強ができ、更につなぎ部１１が連なることにより斜め４５度の角度で交差する補強部が複数出来上がるため、斜め方向の補強も十分な構造となる。
【００２１】
〔実施の形態３〕
図５は本発明の他の実施の形態を示す正面図であり、図６及び図７は図５の耐震壁を作る単位ブロックの斜視図である。この例の単位ブロック５は、深さ方向のほぼ中央が仕切り鋼板１４で仕切られた鋼板製の四角筒体１５より成る。この四角筒体１５の上面と左面にボルト１６が多数突設されている。またその下面と右面には前記ボルト１６が挿入できる大きさの穴１７が多数穿設されている。単位ブロック５同士は、一つのブロック５のボルト１６を他のブロック５の穴１７に挿入してナット（図示せず）で締める雄雌締結構造により締結してブロック積み壁６を一体化するようになっている。
【００２２】
ただし、単位ブロック５の内、ブロック積み壁６の最外周に位置するものは、図７に示した如く、前記ボルト１６が無い構造で、対向する柱１、２や梁３等と面接触できるように形成されている。この面接触部分となる隙間に接着材料７が充填されて接着固定されている。尚、この例では、ブロック積み壁６の柱１、２や梁３等への固定を接着材料７により行っているが、その接着材料７の固定力を補助するためにアンカー１８が少し設けられている。
【００２３】
ここで、板状の鋼板だけを用いて耐震壁を形成すると、一般に剪断力に対する抵抗が小さいが、本発明では、四角筒体１５部分により仕切り鋼板１４が補強されるので、座屈の恐れを低減できる。又、出来上がった耐震壁の状態で、図５から分かるように各単位ブロック５を収納ボックスとして利用することができる。更に図５に示したように、耐震壁の一部に単位ブロック５を設けないようにして、そこを通過可能にすることもできる。
【００２４】
〔実施の形態４〕
図８は本発明の他の実施の形態を示す単位フロックの斜視図であり、図９はブロック積み壁の外周部に位置する単位ブロックの斜視図である。基本的に図６及び図７に示した例と同じ構造のものであるが、この例は、仕切り鋼板１４が互いに離間する２枚から成り、各仕切り鋼板１４の間にコンクリート１９が充填されている。２０はコンクリート充填用に四角筒体１５の上面に穿設された孔である。このコンクリート充填の単位ブロック５を用いることにより、図６の前記構造に比して座屈の恐れを一層低減できる。
【００２５】
〔実施の形態５〕
図１０は本発明の他の実施の形態を示す正面図である。この例は、単位ブロック５が締結構造２１の一例としてコッター式継手構造を備え、各ブロック５同士は締結構造２１により締結してブロック積み壁６を一体化するようになっている。その他の構造は図５に示したものと同様なので同一部分に同一符号を付して説明は省略する。
【００２６】
〔実施の形態６〕
図１１は本発明の他の実施の形態を示す横断面図、図１２は途中工程の正面図、図１３は側断面図であり、図１４は完成時の正面図である。この例は、先ず鋼板を柱１、２、梁３及び床４に接着材料７にて接着して鋼板フレーム２２を形成する。そして、鋼板フレーム２２に、それで囲われた面内の芯材として板状の鋼材２３を固定する。尚、芯材としての鋼材２３は板状のものでなく、棒状等いずれでもよい。この固定はボルト−ナット締結により行われる。そして、芯材鋼材２３に単位コンクリートブロック５を接着材料７にて接着固定しつつ積み込んでブロック積み壁６を形成する。すなわち、単位ブロック５同士及び単位ブロック５と芯材鋼材２３との接合は接着材料７で行うようになっている。ここで、単位コンクリートブロック５は軽量コンクリートから成る。尚、この例では、鋼板フレーム２２の柱１、２や梁３等への固定を接着材料７により行っているが、その接着材料７の固定力を補助するためにアンカー１８が少し設けられている。
【００２７】
この例によれば、接着材料７により柱や梁に強固に固定された鋼板フレーム２２に取り付けられた芯材鋼材２３に単位コンクリートブロック５を接着材料７にて接着固定しつつ積み込んでブロック積み壁６を形成するので、剪断耐力が向上し、鉄筋入りコンクリートに近い強度の耐震壁が得られる。尚、単位コンクリートブロック５同士も接着材料で接着すれば、一層高強度なブロック積み壁６を形成できる。
【００２８】
〔実施の形態７〕
図１５は本発明の他の実施の形態を示す横断面図、図１６は正面図、図１７は側断面図である。この例では、先ず格子状鋼板２４の外周面を柱１、２、梁３及び床４に接着材料７にて接着する。次いで、格子状鋼板２４の各ラーメンの中に単位コンクリートブロック５を入れる。各ブロック５と格子状鋼板２４との隙間は接着材料７を充填して接着固定し、一体化したブロック積み壁６を形成する。その他の構造は図１１乃至図１４に示した例と同様なので同一部分に同一符号を付して説明は省略する。
【００２９】
〔実施の形態８〕
図１８は本発明の他の実施の形態を示す正面図である。この例は、いわゆるブレースによる補強方法に掛かり、長尺なブレース２５の両端の基部２６を建物の柱１、２、梁３及び床４で囲われる面内の４隅に接着材料７にて接着固定して対角線状に２つのブレース２５を設けて成る。この例のブレース補強も接着材料７により周囲に固定して一体化するので、従来のアンカーを用いる場合の騒音や振動の問題がなくなる。更に、この例では、ブレース２５は基部２６との接続がナット２７を一端側にだけ設けて、圧縮力には剛で、引っ張り力には柔軟に追従する構造であるため、その剛柔構造により多方向から変形力が加わる地震においても、耐震要素としての機能を確実に発揮することができる。
【００３０】
【発明の効果】
本発明によれば、基本的に耐震壁の固定を接着材料にて行うので、従来のアンカーを主体として固定する方法に基づく問題を解決することができる。
【図面の簡単な説明】
【図１】本発明の第１の実施の形態を示す正面図である。
【図２】図１の要部拡大正面図である。
【図３】本発明の他の実施の形態を示す正面図である。
【図４】図３の要部断面図である。
【図５】本発明の他の実施の形態を示す正面図である。
【図６】図５の耐震壁を作る単位ブロックの斜視図である。
【図７】図５の耐震壁を作る他の単位ブロックの斜視図である。
【図８】本発明の他の実施の形態を示す単位ブロックの斜視図である。
【図９】本発明の他の実施の形態を示す他の単位ブロックの斜視図である。
【図１０】本発明の他の実施の形態を示す正面図である。
【図１１】本発明の他の実施の形態を示す横断面図である。
【図１２】図１１の実施の形態の途中工程の正面図である。
【図１３】図１１の実施の形態の側断面図である。
【図１４】図１１の実施の形態の完成時の正面図である。
【図１５】本発明の他の実施の形態を示す横断面図である。
【図１６】図１５の実施の形態の正面図である。
【図１７】図１５の実施の形態の側断面図である。
【図１８】本発明の他の実施の形態を示す正面図である。
【符号の説明】
１、２  柱
３  梁
４  床
５  単位ブロック
６  ブロック積み壁
７  接着材料
１４  仕切り鋼板
１５  四角筒体
１６  ボルト
１７  穴
１９  コンクリート
２１  締結構造（コッター式継手構造）
２２  鋼板フレーム
２３  芯材鋼板
２４  格子状鋼板
２５  ブレース
【図１】
0003842865.tif 000002
【図２】
0003842865.tif 000003
【図３】
0003842865.tif 000004
【図４】
0003842865.tif 000005
【図５】
0003842865.tif 000006
【図６】
0003842865.tif 000007
【図７】
0003842865.tif 000008
【図８】
0003842865.tif 000009
【図９】
0003842865.tif 000010
【図１０】
0003842865.tif 000011
【図１１】
0003842865.tif 000012
【図１２】
0003842865.tif 000013
【図１３】
0003842865.tif 000014
【図１４】
0003842865.tif 000015
【図１５】
0003842865.tif 000016
【図１６】
0003842865.tif 000017
【図１７】
0003842865.tif 000018
【図１８】
0003842865.tif 000019